(57)【要約】【課題】  高所作業時に作業に供する物品を踏台上部に掛け止めしておけるようにする。【解決手段】本発明の踏台１は、梯子２の上部近傍に支持脚３の上端を連結し、梯子２の上端に上部連結体４を設けており、上部連結体４は、梯子２の上端から支持脚３の上方側へオーバーハングしていて、その上面に物品を載置する物品載置部５が形成されており、この物品載置部５からオーバーハング方向にさらに出退自在な物品掛止体６が設けられ、この物品掛止体６は進出状態で物品の掛け止めが可能な物品掛止部７が形成されている。【選択図】図１
2012062640.tif 000002
【特許請求の範囲】
【請求項１】
梯子の上部近傍に支持脚の上端を連結し、前記梯子の上端に上部連結体を設けており、
前記上部連結体は、梯子の上端から支持脚の上方側へオーバーハングしていて、その上面に物品を載置する物品載置部が形成されており、この物品載置部からオーバーハング方向にさらに出退自在な物品掛止体が設けられ、この物品掛止体は進出状態で物品の掛け止めが可能な物品掛止部が形成されていることを特徴とする踏台。
【請求項２】
前記物品載置部は、前記上部連結体の上面を凹状に形成して小物品を載置して収納する凹型収納部を有し、前記物品掛止体はこの凹型収納部に配置されていて、凹型収納部から揺動または摺動することにより進出可能になっていることを特徴とする請求項１に記載の踏台。
【請求項３】
前記物品載置部は、前記上部連結体を上下方向に穿孔して球状の物品を挿し込み状に収納する孔型収納部、及び／又は、前記上部連結体の上面に凹凸を形成して円筒状の物品を転げ落ち防止状態で載置収納する転落防止型収納部を備えていることを特徴とする請求項１または２に記載の踏台。
【発明の詳細な説明】
【技術分野】
【０００１】
本発明は、昇降作業などに使用する踏台、特に高所に昇った場合に物品を一時的に載置することができて高所での物品の取り替え作業などに便利な踏台に関するものである。
【背景技術】
【０００２】
一般に、天井などの高所に設置された蛍光灯などを交換する際は踏台が用いられる。このような蛍光灯の交換作業においては、交換した蛍光灯を持って踏台を降りたり、新たに交換する蛍光灯を持って踏台を昇ったりしていては、作業効率が良くない。そこで、このような踏台には、特許文献１に示すように蛍光灯を収納する蛍光灯受け具を設けておき、蛍光灯の交換作業の効率化を図った踏台（脚立）が知られている。
【０００３】
この踏台に設けられる蛍光灯受け具は、蛍光灯を立て掛けた状態で保持できるように有底円筒状に形成されたものであり、踏み板を架設状態で支持する縦材と平行な方向に蛍光灯を収納できる構成となっている。
【先行技術文献】
【特許文献】
【０００４】
【特許文献１】実開平７−２３１９９号公報
【発明の概要】
【発明が解決しようとする課題】
【０００５】
ところで、特許文献１の踏台では、蛍光灯がストレートの直管形タイプの場合は保持できるが、環形タイプの場合は、保持することが困難である。
本発明は、上述の問題に鑑みてなされたものであり、高所作業時に作業に供する物品を踏台上部に掛け止めしておけるようにした踏台を提供することを目的とする。
【課題を解決するための手段】
【０００６】
上記課題を解決するため、本発明の踏台は以下の技術的手段を講じている。
即ち、本発明の踏台は、梯子の上部近傍に支持脚の上端を連結し、前記梯子の上端に上部連結体を設けており、前記上部連結体は、梯子の上端から支持脚の上方側へオーバーハングしていて、その上面に物品を載置する物品載置部が形成されており、この物品載置部からオーバーハング方向にさらに出退自在な物品掛止体が設けられ、この物品掛止体は進出状態で物品の掛け止めが可能な物品掛止部が形成されていることを特徴とするものである。
【０００７】
なお、前記物品載置部は、前記上部連結体の上面を凹状に形成して小物品を載置して収納する凹型収納部を有し、前記物品掛止体はこの凹型収納部に配置されていて、凹型収納部から揺動または摺動することにより進出可能になっている。
また、前記物品載置部は、前記上部連結体を上下方向に穿孔して球状の物品を挿し込み状に収納する孔型収納部、及び／又は、前記上部連結体の上面に凹凸を形成して円筒状の物品を転げ落ち防止状態で載置収納する転落防止型収納部を備えている。
【発明の効果】
【０００８】
本発明の踏台によれば、高所作業時に作業に供する物品を踏台上部に掛け止めしておくことができる。
【図面の簡単な説明】
【０００９】
【図１】本発明に係る踏台の上部の斜視図である。
【図２】上部連結体（物品載置部）の幅方向中央で切断した踏台の上部の断面図である。
【図３】上部連結体の平面図である。
【図４】上部連結体の背面図である。
【図５】踏台全体の右側面図である。
【図６】踏台全体の正面図である。
【図７】図３のＢ−Ｂ線断面図である。
【図８】図３のＦ−Ｆ線断面図である。
【図９】図３のＡ−Ａ線断面図である。
【図１０】図３のＣ−Ｃ線断面図である。
【図１１】図３のＤ−Ｄ線断面図である。
【図１２】図３のＥ−Ｅ線断面図である。
【図１３】上部連結体の正面図である。
【図１４】上部連結体の右側面図である。
【図１５】上部連結体の左側面図である。
【図１６】上部連結体の底面図である。
【発明を実施するための形態】
【００１０】
以下、本発明に係る踏台１の実施形態を、図面に基づき詳しく説明する。
図１及び図２に示すように、踏台１は、梯子２と、この梯子２の上端よりやや下側（上部近傍）に上端が連結された支持脚３と、梯子２の上端に設けられた上部連結体４とを有している。
以下、本発明の踏台１の構成をさらに詳しく説明する。
【００１１】
図１、図２、図５、図６において、梯子２は、左右支柱８、８を踏桟となる複数の横桟９で連結し、左右の各支柱８の下端に滑り止め部材１０を取り付け、左右支柱８、８の上端を上部連結体４で連結している。
支持脚３は、その左右脚の上端を左右支柱８の上部に固定した連結部１２に枢支連結し、上下方向中途部と下部とを支持桟１６、支持脚固定桟１４で連結している。梯子２の左右支柱８、８及び支持脚３の左右脚同士の間隔は上側が下側より幅狭になっている。
【００１２】
支柱８の連結部１２よりやや下方には枢支ピン１８を介して踏み板１５が連結されており、この踏み板１５は支柱８と支持脚３とを逆Ｖ字状に立てたときに支持桟１６と係合して、前記逆Ｖ字姿勢を保持する。
梯子２の上端に設けた上部連結体４は、梯子２の上端から支持脚３の上方側へオーバーハングしており、その上面に物品Ｓを載置する物品載置部５が形成され、この物品載置部５から上部連結体４のオーバーハング方向にさらに出退自在な物品掛止体６が設けられ、この物品掛止体６は、物品載置部５から進出した状態で物品Ｓの掛け止めが可能な物品掛止部７が形成されている。
【００１３】
上部連結体４、物品載置部５及び物品掛止体６の構成についてさらに説明する。
図１〜図４及び図７〜図１６において、上部連結体４は、１組の支柱８、８の間に架け渡されるように取り付けられたトレイ状の部材であり、上部連結体４の両端側の下面には、支柱８の上端を挿入可能な挿入凹部１９が凹状に形成されており、上部連結体４の挿入凹部１９を支柱８に嵌合して両者に固定具２１を挿通して固定している。
【００１４】
上部連結体４の挿入凹部１９は、上部連結体４の下面の中でも手前半分の位置（支柱８に近い側）に偏って形成されている。そのため、支柱８の上端に取り付けた場合には、上部連結体４の奥半分は、支柱８の上端から支持脚３の上方側に向かって水平方向に突出することになり、支柱８に対してオーバーハング状に張り出した配置状態になる。
上部連結体４の手前側端部は、支柱８に対して踏み板１５と同様な突出量であり、支柱８側から踏み板１５に乗った作業者の障害にならない配置であり、作業者が通常乗らない支持脚３側の踏み板１５上方には上部連結体４の奥側が位置し、その上面の物品載置部５を拡大形成できるようにしている。
【００１５】
物品載置部５には、載置しようとする物品Ｓの形状や収納形態に合わせて、上部連結体４の上面に凹状に形成される凹型収納部２２と、上部連結体４に上下方向に穿孔状に形成される孔型収納部２３と、上部連結体４の上面に形成された凹凸で物品Ｓを転げ落ちないように載置する転落防止型収納部２４とが形成されている。
図１〜図４及び図７〜図１６において、凹型収納部２２は、上部連結体４の上面のうち、平面視で略長方形とされる中央の一部を凹状に形成した部分であり、物品の中でもサイズが小さいもの、例えばネジ、ボルト、グロー球、治具、工具などを収納することができる。
【００１６】
この凹型収納部２２には、幅方向（左右方向）の中途側に左右２室に仕切る物品掛止体６が設けられている。なお、この物品掛止体６については後述する。
孔型収納部２３は、上部連結体４を上下方向に穿孔した大小複数種類の孔が形成されていて、孔はその孔径より大きな外径を有する球状の物品Ｓ、例えば電球などを収納することができる。
【００１７】
転落防止型収納部２４は、上部連結体４の上面に、左右両側の隆起部２５の上面に２つの凹部２６を設けて凹凸形状に形成されており、左右の凹部２６に亘って棒状物、筒状物などの外周円形であって長尺な物品を載置保持する。
この転落防止型収納部２４は主に直管形の蛍光灯の載置に使用され、物品Ｓを転げ落ち防止状態で収容できる。
【００１８】
図１〜図４及び図７において、物品載置部５に設けた物品掛止体６は、凹型収納部２２と前後方向にほぼ同じ長さを備えたアーム形状であって、凹型収納部２２の幅方向中途側に配備されていて、その内部を左右に仕切る機能を有している。
物品掛止体６は、凹型収納部２２を仕切る定常位置と、この定常位置より物品載置部５のオーバーハング方向と同方向の外側に進出した進出位置との間で出退自在となっている。
【００１９】
物品掛止体６の基端は凹型収納部２２の周囲の物品載置部５内に位置して枢支軸２８を介して枢支され、且つほぼ１８０°揺動した状態で当接するストッパ手段２９が設けられており、物品掛止体６は枢支軸２８を中心として先端側がオーバーハング方向に揺動して進出することが可能であり、ほぼ１８０°揺動した状態で停止され、それ以上の揺動は阻止される構成となっている。
【００２０】
そして、定常位置での物品掛止体６の下面には凹状の物品掛止部７が形成されており、物品掛止体６が揺動して進出位置に来ると凹状の物品掛止部７が上方を向いて物品Ｓの掛け止めが可能となる。
物品掛止部７はフック形状になっていて、図７に示すような環形の蛍光灯、紐、ロープなどの物品Ｓを回し掛けることができる。
【００２１】
物品掛止体６は、凹状の物品掛止部７を形成することで先端が先細り状に形成されていて、定常位置にあるとき、その先端は凹型収納部２２の底面側を向き、凹型収納部２２の底面に形成されたロック孔２７に入り、不本意に揺動しないようになっている。
物品掛止体６は物品載置部５の凹型収納部２２に左右レールを形成しておいて、その左右レールで物品載置部５外方へ直線移動させて出退する構成にしても良く、その場合は物品掛止部７を物品掛止体６の上面に形成しておく。
【００２２】
上述したように、梯子２の上端に、この梯子２の上端から支持脚３の上方側へオーバーハングした上部連結体４を設け、この上部連結体４に物品載置部５を形成すれば、物品載置部５や上部連結体４がオーバーハング方向にせり出すため、踏み板１５の上に立ち上がる作業者の邪魔になることなく、物品載置部５を拡大形成することができる。
また、物品掛止体６を物品載置部５からさらにオーバーハング方向に出退自在に設ければ、物品掛止体６に掛けられた物品Ｓは踏み板１５に乗った作業者が掛け外し容易な位置に保持されることになる。
【００２３】
本発明は上記各実施形態に限定されるものではなく、発明の本質を変更しない範囲で各部材の形状、構造、材質、組み合わせなどを適宜変更可能である。
物品載置部５はその上面に物品Ｓを載置できれば良く、主として凹型収納部２２が形成され、孔型収納部２３及び転落防止型収納部２４は選択的に形成すれば良い。
物品掛止体６は凹型収納部２２を幅方向全域に亘って覆う開閉蓋として形成し、その開閉蓋を開放して反転した状態で物品を掛け止めする物品掛止部７を形成しておいても良い。
【符号の説明】
【００２４】
１  踏台
２  梯子
３  支持脚
４  上部連結体
５  物品載置部
６  物品掛止体
７  物品掛止部
８  支柱
９  横桟
１０  滑り止め部材
１２  連結部
１４  支持脚固定桟
１５  踏み板
１６  支持桟
１８  枢支ピン
１９  挿入凹部
２１  固定具
２２  凹型収納部
２３  孔型収納部
２４  転落防止型収納部
２５  隆起部
２６  凹部
２７  ロック孔
２８  枢支軸
２９  ストッパ手段
Ｓ  物品
【図１】
2012062640.tif 000003
【図２】
2012062640.tif 000004
【図３】
2012062640.tif 000005
【図４】
2012062640.tif 000006
【図５】
2012062640.tif 000007
【図６】
2012062640.tif 000008
【図７】
2012062640.tif 000009
【図８】
2012062640.tif 000010
【図９】
2012062640.tif 000011
【図１０】
2012062640.tif 000012
【図１１】
2012062640.tif 000013
【図１２】
2012062640.tif 000014
【図１３】
2012062640.tif 000015
【図１４】
2012062640.tif 000016
【図１５】
2012062640.tif 000017
【図１６】
2012062640.tif 000018